(57)【要約】【課題】効率よく広告枠に関する情報を管理すること。【解決手段】本願に係る提供装置は、取得部と、提供部とを有する。取得部は、第１コンテンツに含まれる枠に表示される第２コンテンツの配信に関する情報を取得する。提供部は、第１コンテンツの配信元である第１配信元に対して、取得部によって取得された第２コンテンツの配信に関する情報を枠毎に提供する。例えば、取得部は、第２コンテンツの配信元である第２配信元に関する情報を取得し、提供部は、枠と第２配信元に関する情報とが対応付けられた情報を枠毎に提供する。【選択図】図１
2016004325.tif 000002
【特許請求の範囲】
【請求項１】
第１コンテンツに含まれる枠に表示される第２コンテンツの配信に関する情報を取得する取得部と、
前記第１コンテンツの配信元である第１配信元に対して、前記取得部によって取得された前記第２コンテンツの配信に関する情報を前記枠毎に提供する提供部と、
を備えることを特徴とする提供装置。
【請求項２】
前記取得部は、
前記第２コンテンツの配信元である第２配信元に関する情報を取得し、
前記提供部は、
前記第２コンテンツの配信に関する情報として、前記枠と前記第２配信元に関する情報とが対応付けられた情報を提供する、
ことを特徴とする請求項１に記載の提供装置。
【請求項３】
前記提供部は、
前記枠と前記第２配信元に関する情報とが対応付けられた情報であって、前記第２配信元の配信設定に関するページへのリンクを含む情報を提供する、
ことを特徴とする請求項２に記載の提供装置。
【請求項４】
前記取得部は、
前記第２コンテンツを表示させる対価として前記第１配信元が得る収益に関する情報を取得し、
前記提供部は、
前記枠毎に前記収益に関する情報を提供する、
ことを特徴とする請求項１〜３のいずれか一つに記載の提供装置。
【請求項５】
前記提供部は、
前記第２コンテンツの配信元である第２配信元毎の前記収益に関する情報を提供する、
ことを特徴とする請求項４に記載の提供装置。
【請求項６】
前記提供部は、
前記収益に関する情報として、前記収益の予測値を算出し、算出された前記収益の予測値を提供する、
ことを特徴とする請求項４又は５に記載の提供装置。
【請求項７】
前記提供部は、
前記収益に関する情報として、前記枠の位置又はサイズが変更された場合に予測される収益の予測値を提供する、
ことを特徴とする請求項４〜６のいずれか一つに記載の提供装置。
【請求項８】
前記提供部は、
前記第２コンテンツの配信に関する情報を、前記第１コンテンツにおける前記枠毎の位置関係に対応した画面を用いて提供する、
ことを特徴とする請求項１〜７のいずれか一つに記載の提供装置。
【請求項９】
前記提供部は、
前記枠毎の第２コンテンツの配信に関する情報を、前記第１コンテンツを表示させる表示画面に対応する矩形を含む前記画面を用いて提供する、
ことを特徴とする請求項８に記載の提供装置。
【請求項１０】
前記第２コンテンツの配信に関する情報を収集する収集部
をさらに備え、
前記取得部は、
前記収集部が収集する前記第２コンテンツの配信に関する情報を取得する、
ことを特徴とする請求項１〜９のいずれか一つに記載の提供装置。
【請求項１１】
前記収集部は、
制御情報を含む前記第１コンテンツが端末に表示される際に、前記制御情報に従って前記端末から送信される前記第１コンテンツの情報に基づいて、前記第２コンテンツの配信に関する情報として前記第１コンテンツに含まれる枠に関する情報を収集する、
ことを特徴とする請求項１０に記載の提供装置。
【請求項１２】
前記収集部は、
前記第２コンテンツの配信に関する情報として、前記第２コンテンツの配信元である第２配信元から、前記第２コンテンツの配信先である前記第１コンテンツを特定する情報と、前記第１コンテンツにおいて前記第２コンテンツが表示される枠に関する情報とを収集する、
ことを特徴とする請求項１０又は１１に記載の提供装置。
【請求項１３】
前記取得部は、
前記第１コンテンツに前記第２コンテンツが表示される回数、又は、前記第１コンテンツの閲覧者から前記第２コンテンツが選択される回数、又は、前記第１コンテンツに前記第２コンテンツが表示された結果として前記第２コンテンツの提供主が得た利益、又は、前記第１コンテンツに表示される前記第２コンテンツの表示時間若しくは再生時間に応じて前記第１配信元が得る対価の額が算出される前記第２コンテンツの配信に関する情報を取得する、
ことを特徴とする請求項１〜１２のいずれか一つに記載の提供装置。
【請求項１４】
コンピュータが実行する提供方法であって、
第１コンテンツに含まれる枠に表示される第２コンテンツの配信に関する情報を取得する取得工程と、
前記第１コンテンツの配信元である第１配信元に対して、前記取得工程によって取得された前記第２コンテンツの配信に関する情報を前記枠毎に提供する提供工程と、
を含んだことを特徴とする提供方法。
【請求項１５】
第１コンテンツに含まれる枠に表示される第２コンテンツの配信に関する情報を取得する取得手順と、
前記第１コンテンツの配信元である第１配信元に対して、前記取得手順によって取得された前記第２コンテンツの配信に関する情報を前記枠毎に提供する提供手順と、
をコンピュータに実行させることを特徴とする提供プログラム。
【発明の詳細な説明】
【技術分野】
【０００１】
本発明は、提供装置、提供方法及び提供プログラムに関する。
【背景技術】
【０００２】
近年、インターネットの飛躍的な普及に伴い、インターネットを介した広告配信が盛んに行われている。例えば、ウェブページには、広告コンテンツ掲載のための広告枠が設けられる。かかる広告枠では、リアルタイム入札等の手法を用いて、複数の広告主により広告コンテンツを提供させる権利の取得要求が行われる。
【０００３】
このような広告配信において、パブリッシャ（ウェブページ管理者）がオンライン上で自己の広告リソースに対する広告の実施及び管理運営を行うことができるようにし、広告アプリケーションサービス提供モジュールにより広告の実施及び管理運営がなされるパブリッシャの広告リソースの少なくとも一部に対して、パブリッシャと広告主、広告代理店、広告製作者との間の取引を可能にすることにより、多様な広告収益を創出することができる技術が知られている。
【先行技術文献】
【特許文献】
【０００４】
【特許文献１】特開２０１２−７９３１０号公報
【発明の概要】
【発明が解決しようとする課題】
【０００５】
しかしながら、上記の従来技術では、効率よく広告枠に関する情報を管理することができるとは限らない。具体的には、上記の従来技術では、パブリッシャは、広告アプリケーションサービス提供モジュールを運営する広告サービスシステムを備えるサービス会社に広告管理サービスを申し込むことによって広告を行い、広告収益を創出するに過ぎない。このため、パブリッシャは、広告枠に関係する広告商品や、広告枠毎に得られる広告収益を効率よく管理できるとは言い難い。
【０００６】
本願は、上記に鑑みてなされたものであって、効率よく広告枠に関する情報を管理することができる提供装置、提供方法及び提供プログラムを提供することを目的とする。
【課題を解決するための手段】
【０００７】
本願に係る提供装置は、第１コンテンツに含まれる枠に表示される第２コンテンツの配信に関する情報を取得する取得部と、前記第１コンテンツの配信元である第１配信元に対して、前記取得部によって取得された前記第２コンテンツの配信に関する情報を前記枠毎に提供する提供部と、を備えたことを特徴とする。
【発明の効果】
【０００８】
実施形態の一態様によれば、効率よく広告枠に関する情報を管理することができるという効果を奏する。
【図面の簡単な説明】
【０００９】
【図１】図１は、実施形態に係る提供処理の一例を示す図である。
【図２】図２は、実施形態に係る提供処理システムの構成例を示す図である。
【図３】図３は、実施形態に係る提供装置の構成例を示す図である。
【図４】図４は、実施形態に係る広告枠テーブルの一例を示す図である。
【図５】図５は、実施形態に係るレポートテーブルの一例を示す図である。
【図６】図６は、実施形態に係る配信先テーブルの一例を示す図である。
【図７】図７は、実施形態に係る提供情報記憶部の一例を示す図である。
【図８】図８は、実施形態に係る提供処理システムによる収集処理手順の一例を示すシーケンス図である。
【図９】図９は、実施形態に係る提供装置による提供処理手順を示すフローチャートである。
【図１０】図１０は、提供装置の機能を実現するコンピュータの一例を示すハードウェア構成図である。
【発明を実施するための形態】
【００１０】
以下に、本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、以下の実施形態において同一の部位には同一の符号を付し、重複する説明は省略される。
【００１１】
〔１．提供処理〕
まず、図１を用いて、実施形態に係る提供処理の一例について説明する。図１は、実施形態に係る提供処理の一例を示す図である。図１では、所定のウェブページＷ１０に含まれる広告枠を管理するための管理画面Ｆ０１が示されている。管理画面Ｆ０１は、実施形態に係る提供装置１００により作成される。なお、以下では、第１コンテンツとしてウェブページＷ１０を例に挙げ、第１コンテンツに含まれる枠に表示される第２コンテンツとして広告コンテンツを例に挙げて説明する。
【００１２】
実施形態に係る提供装置１００は、ウェブページＷ１０の管理者に対して、管理画面Ｆ０１を含む管理プラットフォームを提供するサーバ装置である。ここで、ウェブページＷ１０の管理者とは、ウェブページＷ１０に含まれる広告枠で広告コンテンツを表示させることにより広告収益を得る媒体側の者であり、以下では、特に明記のない限り、単に「管理者」と表記する。管理者は、提供装置１００により提供される管理プラットフォームを利用することで、ウェブページＷ１０に含まれる広告枠に関する情報等を効率よく管理することができる。以下では、管理画面Ｆ０１の説明とともに、実施形態に係る提供装置１００が行う提供処理を説明する。
【００１３】
まず、ウェブページＷ１０に含まれる広告枠について説明する。広告枠とは、ウェブページＷ１０において広告コンテンツを表示するための領域をいう。広告枠は、例えば、ＨＴＭＬ（HyperText  Markup  Language）により、ウェブページＷ１０における位置やサイズが定義される。また、広告枠には、広告コンテンツの配信リクエストに関するタグ（例えば、ＪａｖａＳｃｒｉｐｔ（登録商標）により記載される）が埋め込まれる。かかるリクエストは、広告枠に表示する広告コンテンツの配信要求であり、ウェブページＷ１０がウェブブラウザに表示される際、広告コンテンツを配信する所定のサーバに送信される。かかるリクエストは、例えば、ユーザがウェブページＷ１０を閲覧するために用いられる端末であるユーザ端末１０により送信される。リクエストを受けた所定のサーバは、広告コンテンツをユーザ端末１０に配信する。これにより、ウェブページＷ１０の広告枠に広告コンテンツが表示される。なお、広告コンテンツは、テキストや、静止画像や、動画像等であり、広告主によって提供される。
【００１４】
広告コンテンツを配信するサーバは、広告サービスを提供する広告配信事業者により管理される。ここで、広告サービスとは、広告配信事業者により提供されるサービスであり、例えば、インプレッション保証型広告商品や、クリック課金型広告商品等を提供する広告配信サービスをいう。
【００１５】
ここで、管理者は、ウェブページＷ１０に含まれる一つの広告枠において、複数の広告サービスを利用する。管理者は、複数の広告サービスから広告コンテンツの配信を受け付けることにより、広告枠に表示される適当な広告コンテンツが配信されない状況を回避することができる。これにより、管理者は、確実に広告枠で広告コンテンツを表示させることができるので、広告収益を得る機会を増やすことができる。
【００１６】
このように、一つの広告枠には、複数の広告サービスが関わる。また、ウェブページＷ１０には複数の広告枠が含まれる。このため、管理者にとって、ウェブページＷ１０に関係する広告サービスの種類や広告収益等を正確に把握し、管理することは困難である。
【００１７】
そこで、本願に係る提供装置１００は、ウェブページＷ１０に含まれる広告枠を管理するための管理画面Ｆ０１を含む管理プラットフォームを管理者に提供する。かかる管理プラットフォームによれば、管理者は、管理画面Ｆ０１に表示される広告枠の情報を確認することや、管理画面Ｆ０１を介して広告サービスの設定を変更することができる。以下、図１を用いて、管理画面Ｆ０１について説明する。
【００１８】
図１に示すように、管理画面Ｆ０１には、位置情報フレームＦ１０と、広告枠情報フレームＦ２０１〜３とが含まれる。位置情報フレームＦ１０は、ウェブページＷ１０に対応するフレームである。位置情報フレームＦ１０は、広告枠ＡＤ０１〜ＡＤ０５を含む。広告枠ＡＤ０１〜０５は、ウェブページＷ１０に含まれる広告枠に対応するフレームである。位置情報フレームＦ１０及び広告枠ＡＤ０１〜ＡＤ０５は、ウェブページＷ１０に含まれる広告枠の位置やサイズの関係を示す。すなわち、位置情報フレームＦ１０によれば、ウェブページＷ１０内における広告枠ＡＤ０１〜ＡＤ０５の配置が示され、また、ウェブページＷ１０と広告枠ＡＤ０１〜ＡＤ０５との相対的なサイズの関係が示される。
【００１９】
広告枠情報フレームＦ２０１〜３は、それぞれ対応する広告枠ＡＤ０１〜ＡＤ０３に関する情報を表示する。例えば、広告枠情報フレームＦ２０１は、広告枠ＡＤ０１に関する情報を表示する。なお、広告枠ＡＤ０４及びＡＤ０５に関する情報を表示する広告枠情報フレームについては、図示を省略する。また、以下では、広告枠情報フレームＦ２０１〜３を区別する必要がない場合には、これらを総称して「広告枠情報フレームＦ２０」と表記する場合がある。
【００２０】
広告枠情報フレームＦ２０の構成について、広告枠情報フレームＦ２０１を例として詳細に説明する。図１に示すように、広告枠情報フレームＦ２０１は、広告枠ＡＤ０１の形態や、広告枠ＡＤ０１に関係する広告サービスや、広告枠ＡＤ０１の収益に関する情報を表示する。
【００２１】
形態とは、広告枠ＡＤ０１の枠としての分類を示す。広告枠の形態は、例えば、広告枠ＡＤ０１の位置やサイズ、広告枠で表示される広告コンテンツの属性等に基づいて分類される。例えば、広告枠ＡＤ０１は、「センターテキスト」という形態に分類される広告枠である。この場合、広告枠ＡＤ０１は、ウェブページＷ１０の上部かつ中央において１行又は２行程度のテキストから成る広告コンテンツを表示する広告枠であることを意味する。
【００２２】
広告枠ＡＤ０１に関係する広告サービスとは、広告枠ＡＤ０１で表示される広告コンテンツの配信元となる広告サービスの名称を示す。例えば、「サービスＡ０１」や、「サービスＡ０２」は、広告サービスの名称を示す。なお、広告枠情報フレームＦ２０１には、広告サービスの名称とともに、広告サービスに設定される優先順位が示される。詳しくは後述するが、広告枠ＡＤ０１では、優先順位の高い広告サービスから配信される広告コンテンツが優先的に表示される。また、各広告サービスの名称には、対応する広告サービスの設定画面へのリンクが埋め込まれる。図１の例でいえば、下線を伴う「サービスＡ０１」の文字には、リンクが埋め込まれている。管理画面Ｆ０１において、「サービスＡ０１」の文字がクリックされた場合には、提供装置１００は、リンク先であるサービスＡ０１の設定画面を表示させる。
【００２３】
広告枠ＡＤ０１の収益に関する情報とは、広告枠ＡＤ０１で広告コンテンツを表示させることによって管理者が得ることのできる対価に関する情報を示す。広告枠情報フレームＦ２０１の例では、広告枠ＡＤ０１における一日の広告収益が「１０００円」であることを示す。かかる収益の額は、広告枠ＡＤ０１に関係するそれぞれの広告サービスから得られる広告収益の合算額を示す。なお、図１では図示を省略したが、広告枠情報フレームＦ２０１には、各々の広告サービスから得られる広告収益の額が個別に表示されてもよい。
【００２４】
管理画面Ｆ０１の説明を続ける。図１に示すように、管理画面Ｆ０１には、ウェブページＷ１０の可視領域を示す矩形ＶＡが含まれる。可視領域とは、ウェブページＷ１０がユーザ端末１０の表示画面（例えば、ウェブブラウザ）の縦方向の表示サイズよりも長い場合に、表示画面に表示されることが想定される領域を示す。この場合、ユーザ端末１０の表示画面には、ウェブページＷ１０のうち、画面に表示される領域である可視領域内のコンテンツが表示され、可視領域外にあるコンテンツは表示されない。矩形ＶＡは、かかる可視領域の範囲を示している。
【００２５】
図１の例のように、矩形ＶＡの上端と位置情報フレームＦ１０の上端が重なる場合は、矩形ＶＡは、ウェブページＷ１０の初期表示画面に含まれる領域を示している。すなわち、ウェブページＷ１０の初期表示画面では、広告枠ＡＤ０１及びＡＤ０２に配信される広告コンテンツが表示され、広告枠ＡＤ０３〜ＡＤ０５に配信される広告コンテンツは表示されない。なお、可視領域外の領域は、ユーザによって可視領域が下方向にスクロールされて可視領域に入った場合に表示される。
【００２６】
なお、提供装置１００は、管理画面Ｆ０１を構成する位置情報フレームＦ１０や、広告枠情報フレームＦ２０を表示するために、ウェブページＷ１０に関する情報を収集する。以下、提供装置１００の収集処理の一例について説明する。
【００２７】
例えば、提供装置１００は、情報の収集対象であるウェブページＷ１０に制御情報を埋め込む。制御情報は、例えば、ＪａｖａＳｃｒｉｐｔにより記載されるプログラムである。かかる制御情報には、ウェブブラウザでウェブページＷ１０を表示する際に、ウェブページＷ１０の表示に関する情報等を提供装置１００に送信させる旨が記載される。すなわち、ユーザ端末１０は、ウェブブラウザでウェブページＷ１０を表示する際に、かかる制御情報に従ってウェブページＷ１０の情報を提供装置１００に送信する。具体的には、ユーザ端末１０は、実際にウェブブラウザで表示されたウェブページＷ１０に含まれる広告枠の数や、位置や、サイズや、広告コンテンツに関する情報等を送信する。
【００２８】
これにより、提供装置１００は、実際にウェブブラウザに表示されたウェブページＷ１０の広告枠の数や、位置や、サイズや、広告コンテンツに関する情報を収集する。なお、提供装置１００は、ウェブブラウザで実際に表示された広告コンテンツの情報に基づいて、広告コンテンツの配信実績等の情報についても収集することができる。また、詳しくは後述するが、提供装置１００は、広告枠毎の収益に関する情報や、広告サービス毎の広告コンテンツの配信に関する情報等を収集する。
【００２９】
そして、提供装置１００は、収集したウェブページＷ１０及びウェブページＷ１０に含まれる広告枠毎の情報に基づいて、位置情報フレームＦ１０や、広告枠情報フレームＦ２０１〜３により構成される管理画面Ｆ０１を作成する。そして、提供装置１００は、管理画面Ｆ０１を管理者に提供する。
【００３０】
これにより、提供装置１００は、ウェブページＷ１０に含まれる広告枠毎の情報を管理者に提供することができる。また、提供装置１００は、位置情報フレームＦ１０とともに可視領域を示す矩形ＶＡを表示させる。そして、提供装置１００は、管理者から矩形ＶＡの操作を受け付ける。これにより、提供装置１００は、実際にユーザ端末１０に一度に表示されるウェブページＷ１０の領域の情報について、管理者に提供することができる。
【００３１】
また、提供装置１００は、対応する広告サービスの設定画面へのリンクが埋め込まれた広告枠情報フレームＦ２０を表示させる。管理者は、管理画面Ｆ０１において、かかるリンクをクリックすることにより、対応する広告サービスの設定画面を表示させる。提供装置１００は、対応する広告サービスの設定画面において、各広告サービスの設定の変更などを管理者から受け付けることができる。
【００３２】
このように、実施形態に係る提供装置１００は、ウェブページＷ１０における広告枠の位置やサイズが示された位置情報フレームＦ１０と、広告枠毎の情報が示された広告枠情報フレームＦ２０とから成る管理画面Ｆ０１を管理者に提供する。
【００３３】
これにより、実施形態に係る提供装置１００は、管理画面Ｆ０１によって視覚化され、また、一元化された広告枠に関する情報を管理者に対して提供することができる。すなわち、実施形態に係る提供装置１００によれば、管理者は、ウェブページＷ１０に含まれる広告枠の情報を一目で把握することができる。具体的には、管理者は、広告枠の情報として、広告枠に関係する広告サービスや、広告枠毎の収益を把握することができる。このため、管理者は、広告枠毎の収益に関する情報を参照して、広告枠に関する広告サービスの変更を検討したり、特定の広告枠について広告収益が減少していることなどを早期に発見したりすることができる。また、実施形態に係る提供装置１００は、管理画面Ｆ０１において、広告サービスの設定画面へのリンクを作成する。これにより、管理者は、管理画面Ｆ０１を介して、広告枠毎の広告サービスの設定変更等を行うことができる。すなわち、管理者は、ウェブページＷ１０に関係する広告サービスの設定変更について、煩雑な手間を要することなく行うことができる。上記のように、実施形態に係る提供装置１００によれば、管理者は、効率よく広告枠に関する情報を管理することができる。
【００３４】
〔２．提供処理システムの構成〕
次に、図２を用いて、実施形態に係る提供処理システム１の構成について説明する。図２は、実施形態に係る提供処理システム１の構成例を示す図である。図２に示すように、提供処理システム１には、ユーザ端末１０と、ウェブサーバ管理者端末２０と、ウェブサーバ３０と、広告配信制御装置４０と、広告サービス提供装置５０１及び５０２と、提供装置１００とが含まれる。提供処理システム１を構成するユーザ端末１０と、ウェブサーバ管理者端末２０と、ウェブサーバ３０と、広告配信制御装置４０と、広告サービス提供装置５０１及び５０２と、提供装置１００とは、ネットワークＮを介して、有線又は無線により相互に通信可能なように接続される。
【００３５】
ユーザ端末１０は、一般ユーザによって利用される情報処理装置である。具体的には、ユーザ端末１０は、ユーザがウェブページＷ１０等を閲覧するために利用される。
【００３６】
ウェブサーバ管理者端末２０は、ウェブページＷ１０を保持するウェブサーバの管理者により利用される情報処理装置である。例えば、ウェブサーバ管理者端末２０は、管理画面Ｆ０１を表示したり、広告枠についての設定等を行ったりする。
【００３７】
ユーザ端末１０及びウェブサーバ管理者端末２０は、例えば、スマートフォンやタブレット端末やＰＤＡ（Personal  Digital  Assistant）等の移動端末や、デスクトップ型ＰＣ（Personal  Computer）や、ノート型ＰＣ等である。
【００３８】
ウェブサーバ３０は、ウェブページＷ１０等を保持するサーバである。ウェブサーバ３０は、ユーザ端末１０からウェブページＷ１０の取得要求を受け付けた場合に、保持するウェブページＷ１０をユーザ端末１０に配信する。
【００３９】
広告配信制御装置４０は、広告枠で表示される広告コンテンツの配信を制御するサーバである。例えば、広告配信制御装置４０は、ウェブページＷ１０を表示するユーザ端末１０から広告コンテンツ配信の要求を受け付ける。また、広告配信制御装置４０は、広告コンテンツを配信する複数の広告サービスについて優先順位を設定する。
【００４０】
広告サービス提供装置５０１及び５０２は、広告コンテンツを配信する広告サービスを提供するサーバであり、例えば、広告配信業者によって管理される。ここで、広告サービス提供装置５０１と広告サービス提供装置５０２とは、異なる広告サービスを提供する装置であるとする。なお、広告サービス提供装置５０１、５０２を区別する必要がない場合には、これらを総称して「広告サービス提供装置５０」と表記する場合がある。
【００４１】
提供装置１００は、広告枠に関する情報の提供処理を行うサーバである。具体的には、提供装置１００は、広告枠に関する情報を視覚化した管理画面Ｆ０１を管理者に提供する。
【００４２】
ここで、ユーザ端末１０がウェブページＷ１０を閲覧する際に、ウェブページＷ１０の広告枠に表示される広告コンテンツの配信に関して、実施形態に係る提供処理システム１を構成するユーザ端末１０と、広告配信制御装置４０と、広告サービス提供装置５０との関係について説明する。
【００４３】
まず、ユーザ端末１０は、ウェブページＷ１０を表示する際に、ウェブページＷ１０の所定の広告枠に表示する広告コンテンツの配信に係るリクエストを広告配信制御装置４０に送信する。広告配信制御装置４０は、かかるリクエストに対して、実際に広告コンテンツを配信する広告サービスを指示した制御情報であるタグをユーザ端末１０に返す。タグには、広告サービスの優先順位に関する情報が埋め込まれる。
【００４４】
そして、ユーザ端末１０は、かかるタグに従い、広告サービスを提供するサーバであって、優先順位の高いサーバである広告サービス提供装置５０１に広告コンテンツ配信のリクエストを送信する。この場合に、広告サービス提供装置５０１がユーザ端末１０に配信する適当な広告コンテンツを保持していないときは、ユーザ端末１０は、次に優先順位の高いサーバである広告サービス提供装置５０２にリクエストを送信する。広告サービス提供装置５０２がユーザ端末１０に配信する適当な広告コンテンツを保持している場合には、ユーザ端末１０は、広告サービス提供装置５０２から広告コンテンツの配信を受ける。
【００４５】
そして、ユーザ端末１０は、かかる広告コンテンツをウェブページＷ１０の所定の広告枠で表示する。この場合、管理者は、かかる広告コンテンツを配信した広告サービスを管理する広告配信事業者から広告収益を得る。以上のように、ユーザ端末１０は、広告配信制御装置４０を介して、所定の広告サービスから広告コンテンツの配信を受け付ける。
【００４６】
なお、提供処理システム１を構成する各装置の数は、図２に示した数に限られない。例えば、提供処理システム１には、複数台のユーザ端末１０や、複数台のウェブサーバ管理者端末２０等が含まれてもよい。
【００４７】
〔３．提供装置の構成〕
次に、図３を用いて、実施形態に係る提供装置１００の構成について説明する。図３は、実施形態に係る提供装置１００の構成例を示す図である。図３に示すように、提供装置１００は、通信部１１０と、記憶部１２０と、制御部１３０とを有する。
【００４８】
（通信部１１０について）
通信部１１０は、ネットワークＮと有線又は無線で接続され、ユーザ端末１０や、ウェブサーバ管理者端末２０等との間で情報の送受信を行う。例えば、通信部１１０は、ＮＩＣ（Network  Interface  Card）等によって実現される。
【００４９】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図３の例では、記憶部１２０は、収集情報記憶部１２１と、提供情報記憶部１２２とを有する。
【００５０】
（収集情報記憶部１２１について）
収集情報記憶部１２１は、提供装置１００が収集する情報を記憶する。具体的には、実施形態に係る収集情報記憶部１２１は、ウェブページＷ１０に含まれる広告枠に関する情報や広告サービスに関する情報について、後述する収集部１３１が収集する情報を記憶する。実施形態に係る収集情報記憶部１２１は、情報を記憶するデータテーブルとして、広告枠テーブル１２１ａと、レポートテーブル１２１ｂと、配信先テーブル１２１ｃとを有する。以下、各テーブルについて説明する。
【００５１】
（広告枠テーブル１２１ａについて）
広告枠テーブル１２１ａは、所定のウェブページに含まれる広告枠に関する情報を記憶する。ここで、図４に、実施形態に係る広告枠テーブル１２１ａの一例を示す。図４に示した例では、広告枠テーブル１２１ａは、「ウェブページＩＤ」、「広告枠ＩＤ」、「位置」、「サイズ」、「形態」といった項目を有する。
【００５２】
「ウェブページＩＤ」は、ウェブページを識別するための識別情報である識別子を示す。また、「広告枠ＩＤ」は、広告枠を識別するための識別情報である識別子を示す。ここでは、ウェブページ及び広告枠の参照符号を各々の識別子として用いることとする。例えば、「ウェブページＷ１０」は、識別子「Ｗ１０」により識別されるウェブページである。
【００５３】
「位置」は、ウェブページ内における広告枠の位置情報を示す。図４の例では、広告枠の位置情報は、２次元の座標を用いて示される。例えば、広告枠の位置情報は、ウェブブラウザに表示されるウェブページＷ１０の最上方かつ最左端を（ｘ，ｙ）＝（０，０）と定めた場合における、広告枠の最上方かつ最左端の点の（ｘ，ｙ）座標により示される。座標の単位には、例えば、ピクセル（pixel）が用いられる。なお、図４の例においては、広告枠の位置を示すために座標を用いたが、広告枠の位置は、他の表記によって示されてもよい。例えば、広告枠の位置は、ＨＴＭＬによるプログラムを表記することで示されてもよい。
【００５４】
「サイズ」は、ウェブページ内における広告枠のサイズ情報を示す。図４の例では、広告枠のサイズ情報は、広告枠の横方向のピクセル数と縦方向のピクセル数を用いて示される。例えば、広告枠のサイズ情報は、（横方向のピクセル数×縦方向のピクセル数）という表記により示される。なお、広告枠のサイズ情報は、他の表記によって示されてもよい。例えば、広告枠のサイズ情報は、ウェブページの表示領域に対する割合を表記することで示されてもよい。この場合、広告枠のサイズ情報は、ウェブページの表示領域の横方向及び縦方向のそれぞれに対するパーセントの数値を記載することによって示される。
【００５５】
「形態」は、広告枠の形態による分類を示す。広告枠は、ウェブページ内における位置やサイズ、又は、表示される広告コンテンツの属性等に基づいて分類される。図４に示した例では、形態は「センターテキスト」や、「大型ディスプレイ」や、「中型ディスプレイ」などに分類されることが示されている。「センターテキスト」に分類される広告枠は、ウェブページ内において１行又は２行程度のテキストから成る広告コンテンツを表示することが想定された広告枠である。また、「大型ディスプレイ」や、「中型ディスプレイ」などに分類される広告枠は、テキストのみならず、画像や、動画から構成される広告コンテンツを表示することが想定された広告枠である。
【００５６】
例えば、図４では、ウェブページ「Ｗ１０」に含まれる広告枠「ＡＤ０１」は、ウェブページＷ１０内の位置が「（１００，１００）」であり、サイズが「（７２８×１００）」であり、広告枠の形態は「センターテキスト」に分類される例を示す。
【００５７】
（レポートテーブル１２１ｂについて）
レポートテーブル１２１ｂは、所定のウェブページにおける広告サービス毎の収益に関する情報を記憶する。ここで、図５に、実施形態に係るレポートテーブル１２１ｂの一例を示す。図５に示した例では、レポートテーブル１２１ｂは、「ウェブページＩＤ」、「広告サービス」、「広告枠ＩＤ」、「収益」といった項目を有する。
【００５８】
「ウェブページＩＤ」は、図４における「ウェブページＩＤ」と対応するものであり、ウェブページを識別するための識別情報である識別子を示す。
【００５９】
「広告サービス」は、ウェブページに含まれる広告枠に対して広告コンテンツを配信する広告サービスの名称を示す。「広告枠ＩＤ」は、図４における「広告枠ＩＤ」と対応するものであり、広告枠を識別するための識別情報である識別子を示す。
【００６０】
「収益」は、広告サービス毎の一日の広告収益を示す。詳しくは後述するが、収集部１３１は、広告サービス提供装置５０から提供される広告収益のレポート等により、かかる収益に関する情報を収集する。広告サービス毎の収益に関する情報は、広告枠毎に記憶される。
【００６１】
例えば、図５では、ウェブページ「Ｗ１０」における広告枠「ＡＤ０１」には、広告サービス「サービスＡ０１」から広告コンテンツが配信されており、かかる広告コンテンツの掲載により、ウェブページ「Ｗ１０」の管理者は、一日に「８００円」の収益を得ている例を示す。
【００６２】
（配信先テーブル１２１ｃについて）
配信先テーブル１２１ｃは、広告サービスの配信情報を記憶する。ここで、図６に、実施形態に係る配信先テーブル１２１ｃの一例を示す。図６に示した例では、配信先テーブル１２１ｃは、「広告サービス」、「配信先ＵＲＬ」、「広告コンテンツＩＤ」、「表示領域」といった項目を有する。
【００６３】
「広告サービス」は、図５における「広告サービス」と対応するものであり、広告コンテンツを配信する広告サービスの名称を示す。
【００６４】
「配信先ＵＲＬ」は、広告サービスを提供する広告サービス提供装置５０が広告コンテンツを配信した配信先のＵＲＬを示す。ＵＲＬにより、広告サービス提供装置５０が広告コンテンツを配信したウェブページを特定できる。ここでは、図６に示す「ｈｔｔｐ：／／ｗｗｗ．ａａａ・・・」は、ウェブページＷ１０を特定するＵＲＬであるものとする。
【００６５】
「広告コンテンツＩＤ」は、配信された広告コンテンツを識別するための識別情報を示す。広告サービスにおいては、配信のたびに広告コンテンツが選出されるため、同一広告サービスから同一配信先ＵＲＬの同一表示領域に配信される場合であっても、広告コンテンツＩＤが異なる場合がある。
【００６６】
「表示領域」は、配信先ＵＲＬで特定されるウェブページにおいて、広告サービス提供装置５０により配信される広告コンテンツが表示される領域を示す。図６の例では、表示領域は、広告枠ＩＤにより示されている。なお、表示領域は、広告枠ＩＤによらず、例えば、ウェブページ内の位置やサイズ情報を表記することにより示されてもよい。
【００６７】
例えば、図６では、「サービスＡ０１」を提供する広告サービス提供装置５０は、配信先ＵＲＬが「ｈｔｔｐ：／／ｗｗｗ．ａａａ・・・」で特定されるウェブページＷ１０に、広告コンテンツＩＤ「Ｃ１１」で識別される広告コンテンツを配信し、かかる配信先において広告コンテンツが表示される表示領域は「ＡＤ０１」で識別される広告枠である例を示す。
【００６８】
（提供情報記憶部１２２について）
提供情報記憶部１２２は、提供装置１００が提供する情報を記憶する。具体的には、実施形態に係る提供情報記憶部１２２は、収集情報記憶部１２１に記憶された各情報に基づいて、広告枠に関する情報が統合された情報を記憶する。例えば、提供情報記憶部１２２には、広告枠と広告サービスとの関係が対応付けられた情報が記憶される。
【００６９】
ここで、図７に、実施形態に係る提供情報記憶部１２２の一例を示す。図７に示した例では、提供情報記憶部１２２は、「ウェブページＩＤ」、「広告枠ＩＤ」、「位置」、「サイズ」、「形態」、「広告サービス」、「収益」といった項目を有する。各項目については、収集情報記憶部１２１が有する各テーブルの項目と対応するため、説明を省略する。
【００７０】
例えば、図７では、「ウェブページＷ１０」に含まれる「広告枠ＡＤ０１」は、ウェブページＷ１０内の位置が「（１００，１００）」であり、サイズが「（７２８×１００）」であり、広告枠の形態は「センターテキスト」に分類され、「サービスＡ０１」及び「サービスＡ０２」から広告コンテンツの配信を受け、かかる広告サービスによる広告収益は、それぞれ「８００円」と「２００円」である例を示す。
【００７１】
（制御部１３０について）
制御部１３０は、例えば、ＣＰＵ（Central  Processing  Unit）やＭＰＵ（Micro  Processing  Unit）等によって、提供装置１００内部の記憶装置に記憶されている各種プログラム（提供プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００７２】
図３に示すように、制御部１３０は、収集部１３１と、取得部１３５と、提供部１３６と、受付部１３７とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００７３】
（収集部１３１について）
収集部１３１は、広告コンテンツの配信に関する情報を収集する。具体的には、実施形態に係る収集部１３１は、ウェブページＷ１０に含まれる広告枠に表示される広告コンテンツの配信に関する情報を収集する。図３に示すように、収集部１３１は、広告枠情報収集部１３２と、レポート収集部１３３と、配信先収集部１３４とを有する。以下に、収集部１３１が有する各部を順に説明する。
【００７４】
（広告枠情報収集部１３２について）
広告枠情報収集部１３２は、広告コンテンツの配信に関する情報として、広告枠に関する情報を収集する。具体的には、実施形態に係る広告枠情報収集部１３２は、制御情報を含むウェブページＷ１０がユーザ端末１０に表示される際に、制御情報に従ってユーザ端末１０から送信されるウェブページＷ１０の情報に基づいて、広告コンテンツの配信に関する情報としてウェブページＷ１０に含まれる広告枠に関する情報を収集する。
【００７５】
すなわち、広告枠情報収集部１３２は、予め、情報の収集対象であるウェブページＷ１０に、前述した制御情報を埋め込む。かかる制御情報には、ウェブブラウザでウェブページＷ１０を表示する際に、ウェブページＷ１０の表示に関する情報等を提供装置１００に送信させる旨が記載される。制御情報は、例えば、ＪａｖａＳｃｒｉｐｔにより記載される。ウェブページＷ１０の閲覧を所望するユーザは、ユーザ端末１０を操作し、ウェブページＷ１０をウェブサーバ３０から取得する。そして、ユーザ端末１０は、ウェブブラウザにウェブページＷ１０を表示する。ユーザ端末１０は、ウェブページＷ１０を表示する際に、かかる制御情報に従ってウェブページＷ１０の情報を提供装置１００に送信する。広告枠情報収集部１３２は、ユーザ端末１０が送信するウェブページＷ１０に含まれる広告枠の数や、位置や、サイズや、実際にユーザ端末１０のウェブブラウザで表示された広告コンテンツに関する情報等を収集する。
【００７６】
そして、広告枠情報収集部１３２は、収集した情報を広告枠テーブル１２１ａに格納する。具体的には、広告枠情報収集部１３２は、図４に示す「ウェブページＩＤ」の項にウェブページＷ１０を識別する識別情報を格納する。また、広告枠情報収集部１３２は、ウェブページＷ１０に含まれる広告枠を識別する識別情報を「広告枠ＩＤ」の項に格納する。また、広告枠情報収集部１３２は、広告枠の位置情報や、サイズ情報や、広告枠の分類を、それぞれ対応する項へ格納する。また、広告枠情報収集部１３２は、ウェブページＷ１０に配信された広告コンテンツに関する情報に基づいて、広告枠に広告コンテンツを配信する広告サービス提供装置５０を特定する。広告枠情報収集部１３２は、特定した広告サービス提供装置５０に関する情報について、後述するレポート収集部１３３の収集処理等に利用させたり、広告サービス提供装置５０へのアクセス情報（例えば、リンクを張るためのＵＲＬなど）として利用させたりすることができる。
【００７７】
（レポート収集部１３３について）
レポート収集部１３３は、広告枠毎の広告収益に関する情報を収集する。具体的には、実施形態に係るレポート収集部１３３は、広告枠に広告コンテンツを配信する広告サービス提供装置５０から、広告収益に関するレポートを収集する。すなわち、レポート収集部１３３は、ウェブページＷ１０において広告コンテンツを表示させる対価として得られる収益に関する情報を広告サービス毎に収集する。
【００７８】
そして、レポート収集部１３３は、収集したレポートに基づいて、広告枠毎の広告収益をレポートテーブル１２１ｂに格納する。例えば、レポート収集部１３３は、図５に示す「広告サービス」の項に広告サービスの名称である「サービスＡ０１」等の情報を格納する。また、レポート収集部１３３は、「収益」の項に広告サービス毎の一日の収益に関する情報を格納する。
【００７９】
なお、レポート収集部１３３は、一つの広告サービスが複数の広告枠に広告コンテンツを配信するような場合には、広告枠毎の収益に関するレポートを収集する。また、レポート収集部１３３は、広告サービスがインプレッション保証型広告商品を提供する場合には、例えば、広告主毎の入札価格や、所定の広告枠での広告コンテンツの表示回数などを収集してもよい。そして、レポート収集部１３３は、かかる入札価格と広告コンテンツの表示回数とを乗算することにより、かかる広告サービスから得られる収益を算出し、算出された収益に関する情報を収集してもよい。
【００８０】
（配信先収集部１３４について）
配信先収集部１３４は、広告コンテンツの配信に関する情報として、広告コンテンツの配信元である広告サービス提供装置５０から、広告コンテンツの配信先となるウェブページＷ１０を特定する情報と、配信先となるウェブページＷ１０において広告コンテンツが表示される広告枠に関する情報とを収集する。具体的には、実施形態に係る配信先収集部１３４は、広告サービス提供装置５０から、広告コンテンツの配信先ＵＲＬや、配信先ＵＲＬで特定されるウェブページにおける表示領域（すなわち、広告枠の位置やサイズ）に関する情報を収集する。
【００８１】
配信先収集部１３４は、例えば、広告枠情報収集部１３２が収集した広告コンテンツの情報に基づいて、情報収集対象となるウェブページに関係する広告サービス提供装置５０を特定し、かかる広告サービス提供装置５０から情報を収集する。
【００８２】
また、配信先収集部１３４は、無作為に広告サービス提供装置５０を選出し、広告サービス毎に配信先ＵＲＬなどの情報を収集してもよい。すなわち、配信先収集部１３４は、広告サービス提供装置５０をクローリングすることにより、広告コンテンツの配信先に関する情報を適宜収集する。なお、配信先収集部１３４は、配信先ＵＲＬで特定されるウェブページをさらにクローリングすることにより、かかるウェブページに配信された広告コンテンツの情報を収集することもできる。例えば、配信先収集部１３４は、配信先ＵＲＬで特定されるウェブページにおける広告コンテンツの表示領域（すなわち、広告枠）の位置やサイズ情報を収集する。
【００８３】
そして、配信先収集部１３４は、収集した広告コンテンツの配信先に関する情報を配信先テーブル１２１ｃに格納する。図６に示すように、配信先収集部１３４が収集した情報は、広告サービスと、配信先ＵＲＬと、広告コンテンツＩＤと、表示領域とが対応付けられて格納される。
【００８４】
（取得部１３５について）
取得部１３５は、ウェブページに含まれる枠に表示される広告コンテンツの配信に関する情報を取得する。具体的には、実施形態に係る取得部１３５は、ウェブページＷ１０に含まれる広告枠の情報や、広告コンテンツの配信元に関する情報を取得する。以下において、広告コンテンツの配信元に関する情報とは、広告コンテンツをユーザ端末１０に配信する広告サービス提供装置５０及び広告サービス提供装置５０が提供する広告サービスに関する情報をいう。上述のように、広告サービス提供装置５０は、インプレッション保証型広告商品やクリック課金型広告商品等の広告コンテンツをウェブページＷ１０に提供する。すなわち、取得部１３５は、ウェブページＷ１０に広告コンテンツが表示される回数、又は、ウェブページＷ１０の閲覧者であるユーザから広告コンテンツが選択される回数（例えば、クリック回数）に応じて管理者が得る対価の額が算出される広告コンテンツの配信に関する情報を取得する。なお、取得部１３５は、広告サービス提供装置５０がコンバージョン課金型広告や、表示時間課金型広告（例えば、ビデオ広告）等の広告コンテンツをウェブページＷ１０に提供する場合には、それぞれ対応する広告コンテンツの情報を取得する。コンバージョン課金型広告とは、広告コンテンツがクリックされることや、広告コンテンツのリンク先のページの行動により、ユーザが会員登録、資料請求、商品購入するなどの最終成果に至った場合に課金する広告形態をいう。すなわち、取得部１３５は、ウェブページＷ１０に広告コンテンツが表示された結果として広告コンテンツの広告主が得た利益に応じて、管理者が得る対価の額が算出される広告コンテンツの配信に関する情報を取得する。例えば、取得部１３５は、広告を配信した回数に対して何割がコンバージョンに至るかの割合を示すＣＶＲ（Conversion  Rate）などの情報を取得してもよい。また、表示時間課金型広告とは、広告コンテンツの表示時間に応じて課金額を決定する広告形態をいう。例えば、ビデオ広告の場合には、ビデオ広告の再生時間に応じて課金額が決定されることがある。この場合、取得部１３５は、ウェブページＷ１０に表示される広告コンテンツの表示時間若しくは再生時間に応じて、管理者が得る対価の額が算出される広告コンテンツの配信に関する情報を取得する。  
【００８５】
実施形態に係る取得部１３５は、収集部１３１が収集するウェブページＷ１０に関する情報や広告サービスに関する情報を収集情報記憶部１２１から取得する。そして、取得部１３５は、取得した収集情報を統合する。具体的には、取得部１３５は、広告枠テーブル１２１ａに記憶された広告枠ＡＤ０１に係る情報と、レポートテーブル１２１ｂに記憶されたサービスＡ０１及びサービスＡ０２の収益に関する情報と、配信先テーブル１２１ｃに記憶されたサービスＡ０１の配信先に関する情報とに基づいて、図７で示すような、広告枠ＡＤ０１に関する情報とサービスＡ０１及びサービスＡ０２とが対応づけられた情報を作成する。そして、取得部１３５は、かかる情報を提供情報記憶部１２２に格納する。なお、取得部１３５は、かかる情報の作成処理の際や、後述する提供部１３６や受付部１３７が処理を行う際には、例えばネットワークＮを介して、処理に要する情報を適宜取得してもよい。例えば、取得部１３５は、広告主が広告サービスを利用するにあたり設定する入札額や、各広告主から入稿された広告コンテンツがウェブページＷ１０において表示された回数や、広告サービスの設定画面へのリンク先（例えば、ＵＲＬ）などを、広告サービス提供装置５０から取得する。
【００８６】
（提供部１３６について）
提供部１３６は、ウェブページＷ１０の配信元である第１配信元（ここでは、ウェブページＷ１０の管理者のことをいう）に対して、取得部１３５によって取得された広告コンテンツの配信に関する情報を広告枠毎に提供する。また、提供部１３６は、広告枠毎の広告コンテンツの配信に関する情報を、所定のウェブページに含まれる広告枠の位置関係に対応した画面を用いて提供する。具体的には、実施形態に係る提供部１３６は、ウェブページＷ１０における広告枠の配置に対応させた位置情報フレームＦ１０と、収集部１３１が収集した情報を広告枠毎に集約させた広告枠情報フレームＦ２０とから成る管理画面Ｆ０１をウェブサーバ管理者端末２０に提供する。例えば、提供部１３６は、取得部１３５が取得するウェブページＷ１０及びウェブページＷ１０の広告枠の位置やサイズ情報に基づいて、位置情報フレームＦ１０を作成する。また、提供部１３６は、取得部１３５が取得するウェブページＷ１０の広告枠に関係する広告サービスの名称や、収益に関する情報に基づいて、広告枠情報フレームＦ２０を作成する。
【００８７】
提供部１３６は、広告コンテンツの配信に関する情報として、広告枠と広告サービスとが対応付けられた情報を提供する。また、提供部１３６は、広告枠と広告サービスに関する情報とが対応付けられた情報であって、広告サービスの配信設定に関するページへのリンクを含む情報を提供する。例えば、提供部１３６は、広告サービスに関して、広告サービス毎の設定画面へのリンクが張られた管理画面Ｆ０１を提供する。すなわち、提供部１３６は、管理画面Ｆ０１を介して広告サービス毎の設定をすることのできるサービスを管理者に提供する。なお、広告サービスによっては、提供部１３６が設定画面を提供できない場合もあり、後述する受付部が設定を受け付けることができない場合がありうる。例えば、提供装置１００と広告サービス提供装置５０との間に事業的な提携関係が無い場合は、広告サービスの設定を受け付けることができないことがありうる。この場合には、提供部１３６は、広告サービスの設定画面を自ら提供せず、広告サービス提供装置５０が保持する設定画面へのリンクが埋め込まれた管理画面Ｆ０１を提供する。管理者は、かかるリンクをクリックすることにより、広告サービス提供装置５０が保持する設定画面に表示を遷移させる。そして、管理者は、かかる設定画面において広告サービスの設定を行う。
【００８８】
また、提供部１３６は、広告コンテンツの配信に関する情報として、広告枠毎の収益に関する情報を提供する。提供部１３６は、広告枠毎の収益に関する情報が表示される広告枠情報フレームＦ２０を提供することにより、管理者に広告枠毎の収益を一目で把握させることができる。また、提供部１３６は、広告コンテンツの配信元毎の収益に関する情報を提供する。すなわち、提供部１３６は、広告サービス毎の収益に関する情報を広告枠毎に提供する。
【００８９】
なお、提供部１３６は、位置情報フレームＦ１０及び広告枠情報フレームＦ２０について、例えば、枠の形態毎に異なる色を付して提供してもよい。例えば、提供部１３６は、「センターテキスト」形態に分類される広告枠ＡＤ０１と、広告枠ＡＤ０１に対応する広告枠情報フレームＦ２０１については緑色で表示され、「大型ディスプレイ」や「中型ディスプレイ」形態に分類される広告枠ＡＤ０２及びＡＤ０３の各々に対応する広告枠情報フレームＦ２０２及びＦ２０３については青色で表示される管理画面Ｆ０１を提供する。このように、提供部１３６は、管理者が広告枠の分類を把握し易い管理画面Ｆ０１を提供することができる。
【００９０】
また、提供部１３６は、広告枠毎の広告コンテンツの配信に関する情報を、ウェブページＷ１０を表示させるユーザ端末１０の表示画面に対応する矩形ＶＡを含む管理画面Ｆ０１を用いて提供する。この場合、管理者は、管理画面Ｆ０１において、矩形ＶＡを自由に動かすことができる。管理者は、かかる矩形ＶＡで示される領域により、ウェブページＷ１０を表示する画面内において、同時に表示される広告枠の内容を把握する。例えば、一画面に二以上の広告枠が配置され、二以上の広告枠で動画による広告コンテンツが掲載されることは適切でない。管理者は、管理画面Ｆ０１と矩形ＶＡを参照することにより、上記のような適切でない広告枠の配置を把握できるため、容易に広告枠の配置を管理することができる。
【００９１】
また、提供部１３６は、矩形ＶＡの提供により、管理者が初期表示画面に含まれる広告枠を認識できるようにさせる。一般に、初期表示画面に含まれる広告コンテンツは、ユーザに視認され易く、高い広告効果が見込まれる。このため、初期表示画面に含まれる広告枠からは、高い広告収益が期待できる。管理者は、管理画面Ｆ０１と矩形ＶＡを参照することにより、初期表示画面に含まれる広告枠の設定等を管理することができるので、広告収益を上げることができる可能性を高めることができる。また、管理者は、矩形ＶＡを参照することで、初期表示画面内外の広告枠に関する情報を比較できるので、各広告枠の収益の傾向などを容易に把握することができる。
【００９２】
（受付部１３７について）
受付部１３７は、提供部１３６の提供する情報についての要求を受け付ける。具体的には、実施形態に係る受付部１３７は、提供部１３６の提供する管理画面Ｆ０１において、管理者から広告サービスの設定の変更などを受け付ける。
【００９３】
すなわち、受付部１３７は、管理画面Ｆ０１において管理者が広告サービスのリンク先をクリックした場合に表示される広告サービスの設定画面を介して、広告サービスの設定の変更などを受け付ける。例えば、受付部１３７は、広告サービスから広告枠に配信される広告コンテンツのカテゴリの設定変更を受け付ける。具体的には、受付部１３７は、所定の広告枠において、酒類やたばこ類に関する広告コンテンツの配信を拒否する設定などを受け付ける。また、受付部１３７は、広告主を指定させ、かかる広告主が提供する広告コンテンツの配信を拒否する設定を受け付けてもよい。
【００９４】
また、受付部１３７は、広告コンテンツを表示させることで得る広告収益の額の変更などを受け付けてもよい。例えば、受付部１３７は、所定の広告サービスにおいて「１０００インプレッション」毎に「１００円」の収益を媒体側が得る設定を、「１１０円」に変更する要求などを受け付ける。受付部１３７は、かかる変更を、適宜広告サービス提供装置５０に送信する。なお、前述のように、受付部１３７が設定変更を受け付けることのできない広告サービスもあり得るものとする。この場合には、例えば、管理者は、リンクの遷移先である広告サービス提供装置５０が提供する設定ページにおいて、かかる設定変更を行う。
【００９５】
〔４．収集処理手順〕
次に、図８を用いて、実施形態に係る提供処理システム１による収集処理の手順について説明する。図８は、実施形態に係る提供処理システム１による収集処理手順の一例を示すシーケンス図である。
【００９６】
図８に示すように、ユーザ端末１０は、ウェブページの取得要求をウェブサーバ３０に送信する（ステップＳ１０１）。ウェブサーバ３０は、取得要求に従い、ウェブページをユーザ端末１０に送信する（ステップＳ１０２）。ユーザ端末１０は、ウェブページに埋め込まれた制御情報に従い、ウェブページに含まれる広告枠の情報を提供装置１００に送信する（ステップＳ１０３）。
【００９７】
提供装置１００は、ユーザ端末１０から送信された情報に基づいて、広告枠に関する情報を収集する（ステップＳ１０４）。そして、提供装置１００は、収集した情報に基づいて、広告サービス提供装置５０に対して、広告枠に係る広告サービスの情報を要求する（ステップＳ１０５）。
【００９８】
広告サービス提供装置５０は、提供装置１００からの要求に従い、広告枠に係る広告サービスの情報を送信する（ステップＳ１０６）。提供装置１００は、広告サービス提供装置５０から送信された情報から収集された情報を記憶する（ステップＳ１０７）。
【００９９】
〔５．提供処理手順〕
次に、図９を用いて、実施形態に係る提供装置１００による提供処理の手順について説明する。図９は、実施形態に係る提供装置１００による提供処理手順を示すフローチャートである。
【０１００】
図９に示すように、提供装置１００は、収集した広告配信に関する情報を広告枠毎に提供する（ステップＳ２０１）。そして、提供装置１００は、提供した管理画面Ｆ０１において、広告サービスの設定を受け付けたか否かを判定する（ステップＳ２０２）。設定を受け付けない場合、提供装置１００による提供処理は終了する（ステップＳ２０２；Ｎｏ）。
【０１０１】
一方、設定を受け付けた場合には（ステップＳ２０２；Ｙｅｓ）、提供装置１００は、かかる設定を受け付けた広告サービスについて設定変更か否かを判定する（ステップＳ２０３）。設定変更が可能な場合には（ステップＳ２０３；Ｙｅｓ）、提供装置１００は、広告サービスの設定変更を受け付ける（ステップＳ２０４）。
【０１０２】
一方、設定変更が可能でない場合には（ステップＳ２０３；Ｎｏ）、提供装置１００は、広告サービス提供装置５０が提供する広告サービスの設定画面へ遷移させる（ステップＳ２０５）。
【０１０３】
〔６．変形例〕
上述した実施形態は、上記実施形態以外にも種々の異なる形態にて実施されてよい。そこで、以下では、他の実施形態について説明する。
【０１０４】
〔６−１．予測値の提供〕
上記実施形態において、提供部１３６は、広告枠に係る広告収益の実績だけではなく、広告収益の予測値を提供してもよい。この場合には、提供部１３６は、広告枠に係る広告収益の予測値を算出する。例えば、提供部１３６は、ウェブページＷ１０に含まれる広告枠における過去の広告収益の実績からモデル化された算出式を用いて、広告収益の予測値を算出する。また、提供部１３６は、他のウェブページに含まれる広告枠であって、同じ形態であり、同じ広告サービスから広告コンテンツの配信を受ける広告枠の実績からモデル化された算出式などを用いて、広告収益の予測値を算出してもよい。
【０１０５】
例えば、提供部１３６は、図１に示す広告枠情報フレームＦ２０の項目の一つとして、広告収益の予測値を管理者に提供する。この場合には、提供部１３６は、実績としての「収益」の項目と、広告収益の予測値とを並べて広告枠情報フレームＦ２０に表示させてもよい。
【０１０６】
このように、提供装置１００は、広告収益の予測値を提供する。これにより、管理者は、広告枠毎の広告収益を予測することができるので、広告枠毎の広告収益を管理し易くなる。また、提供装置１００は、実績としての広告収益と、予測される広告収益とを表示する。これにより、管理者は、実績と予測値との差異を比較できる。このため、管理者は、収益が予測よりも低い状況などを認知し易くなるため、広告収益を管理し易くなる。
【０１０７】
〔６−２．レコメンド情報の提供〕
また、提供部１３６は、上記の広告収益の予測値のみならず、広告枠に関するレコメンド情報を提供してもよい。具体的には、提供部１３６は、収益に関する情報として、ウェブページＷ１０における広告枠の位置又はサイズが変更された場合に予測される収益の予測値を提供する。
【０１０８】
例えば、取得部１３５は、ウェブページＷ１０に含まれる広告枠の位置やサイズが類似する複数のウェブページの情報を取得する。そして、提供部１３６は、取得部１３５が取得した情報に基づいて、複数のウェブページにおける広告枠の位置やサイズ、関係する広告サービスの情報などを分析する。続いて、提供部１３６は、高い広告収益をあげているウェブページ、及び、広告枠の情報を抽出する。提供部１３６は、このように抽出された広告枠と、ウェブページＷ１０を比較する。
【０１０９】
そして、提供部１３６は、かかる比較に基づき、ウェブページＷ１０に含まれる広告枠について、例えば、あと３０ピクセル分上方に配置した場合に広告収益が上がる可能性があるなどのレコメンド情報を管理者に提供する。なお、提供部１３６が提供するレコメンド情報は、位置情報のみならず、サイズ情報でもよい。例えば、提供部１３６は、広告枠のサイズを縦横２０ピクセル分拡大することにより、広告収益が上がる可能性があるなどのレコメンド情報を提供してもよい。
【０１１０】
提供部１３６は、上記のようなレコメンド情報を提供するにあたり、広告枠の一日の広告収益以外の情報を提供してもよい。例えば、提供部１３６は、広告枠毎の広告コンテンツにおける、広告コンテンツに対するクリックで発生する課金額であるＣＰＣ（Cost  Per  Click）や、広告コンテンツの１０００回表示あたりの課金額であるｅＣＰＭ（effective  Cost  Per  Mill）などの広告収益の判断に使用する指数を提供してもよい。提供部１３６は、種々の指数を提供することにより、実態に即するレコメンド情報を提供することができる。これにより、提供装置１００は、管理者がより高い広告収益を得る可能性を向上させることができる。
【０１１１】
〔６−３．グラフ表示〕
上記実施形態において、提供部１３６は、図１で示すような広告枠情報フレームＦ２０を用いて、広告枠に係る情報を提供する例を示した。しかし、提供部１３６は、例えば、広告収益の額を数値だけでなく、グラフで示すような情報フレームを提供してもよい。この場合には、提供部１３６は、一日の広告収益のみならず、所定の期間（例えば、一月など）における広告収益の実績を折れ線グラフで示す広告枠情報フレームＦ２０を提供することができる。
【０１１２】
また、提供部１３６は、かかるグラフにおいて、広告収益の実績と予測値を同時に表示させてもよい。これにより、提供部１３６は、広告枠毎の広告収益の増減や、広告取引の実情を視覚化させることができる。また、提供部１３６は、広告収益が減少している広告枠のグラフについて、例えば、色を変化させて管理者の注意を喚起させてもよい。
【０１１３】
このように、提供装置１００は、視覚化した広告枠に関する情報を管理者に提供することができる。すなわち、提供装置１００によれば、広告枠に関する情報の視認性を高めることができるので、管理者にとって、広告枠に関する情報を把握し易くさせることができる。なお、提供装置１００が提供するグラフは上記の例に限られない。例えば、提供装置１００は、広告サービス毎の広告収益を示した円グラフなどを提供してもよい。
【０１１４】
〔６−４．広告コンテンツの表示〕
上記実施形態において、提供部１３６は、管理画面Ｆ０１において、広告枠の配置に対応付けて、広告枠に関係する広告サービスや、広告収益の情報を提供する例を示した。しかし、提供部１３６は、管理画面Ｆ０１において、その他の情報を提供してもよい。
【０１１５】
例えば、提供部１３６は、広告枠で実際に配信される可能性のある広告コンテンツのプレビューを管理画面Ｆ０１に表示させてもよい。この場合、提供部１３６は、広告サービスにかかわらず、一つの広告枠に配信される広告コンテンツのプレビューを複数並べて表示することができる。
【０１１６】
一般に、管理者にとって、広告サービスが異なる広告コンテンツを広告枠毎に確認することは煩雑な作業が伴う。一方、提供装置１００によれば、収集部１３１が広告サービス提供装置５０や配信先ＵＲＬで特定されるウェブページをクローリングすることで、広告サービスの配信に係る情報を収集し、格納する。このため、提供部１３６は、かかる情報に基づいて、上記のように広告枠毎の広告コンテンツを特定し、プレビューを表示させることができる。なお、提供部１３６は、広告コンテンツを入稿する広告主に関する情報を管理者に提供してもよい。
【０１１７】
これにより、管理者は、広告枠に配信される可能性のある広告コンテンツを容易に把握することができる。例えば、管理者は、ウェブページで掲載を望まない不適切な広告コンテンツが配信される設定になっていることを早期に把握することができる。
【０１１８】
〔６−５．ウェブページの位置情報〕
上記実施形態において、広告枠情報収集部１３２は、制御情報の含まれるウェブページＷ１０を取得したユーザ端末１０からウェブページＷ１０の広告枠に関する情報の送信を受け付けることにより、ウェブページＷ１０の広告枠に関する情報を収集する例を示した。しかし、広告枠情報収集部１３２は、上記例に限られず、情報の収集対象となるウェブページＷ１０の広告枠に関する情報を収集することができる。
【０１１９】
例えば、広告枠情報収集部１３２は、情報の収集対象となるウェブページＷ１０が保持されているウェブサーバ３０から情報を取得することにより、ウェブページＷ１０の広告枠に関する情報を収集してもよい。この場合、広告枠情報収集部１３２は、ウェブサーバ３０からウェブページＷ１０を取得する。そして、広告枠情報収集部１３２は、例えば、ウェブページを構成するＨＴＭＬファイルに基づいて、広告枠の位置情報やサイズ情報を収集する。
【０１２０】
〔６−６．提供処理システム〕
上記実施形態に係る提供処理システム１には、広告配信制御装置４０が含まれる例を示した。しかし、提供処理システム１には、広告配信制御装置４０が含まれなくてもよい。この場合、ウェブページＷ１０に含まれる広告枠への広告コンテンツの配信は、広告サービス提供装置５０から直接行われる。
【０１２１】
また、広告サービス提供装置５０は、自ら広告コンテンツのデータを保持するのではなく、外部の広告ストレージサーバを制御することにより広告コンテンツの配信を行ってもよい。
【０１２２】
また、上記実施形態に係る提供処理システム１では、広告サービス提供装置５０が一つの広告サービスを提供する例を示した。しかし、広告サービス提供装置５０は、複数の広告サービスを提供してもよい。
【０１２３】
〔６−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２５】
例えば、図３に示した収集情報記憶部１２１や提供情報記憶部１２２は、提供装置１００が保持せずに、図示しないストレージサーバ等が保持してもよい。この場合、提供装置１００は、ストレージサーバから広告枠に関する情報等を収集する。
【０１２６】
また、例えば、上述した提供装置１００は、収集部１３１を有する収集装置と、取得部１３５と提供部１３６を有する提供装置と、受付部１３７を有する受付装置とに分散されてもよい。
【０１２７】
〔６−８．ハードウェア構成〕
また、上述してきた実施形態に係る提供装置１００は、例えば図１０に示すような構成のコンピュータ１０００によって実現される。図１０は、提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２８】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２９】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応する）を介して他の機器からデータを受信してＣＰＵ１１００へ送り、また、通信網５００を介してＣＰＵ１１００が生成したデータを他の機器へ送信する。
【０１３０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１３１】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３２】
例えば、コンピュータ１０００が提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、収集情報記憶部１２１及び提供情報記憶部１２２内のデータが格納される。コンピュータ１０００のＣＰＵ１１００は、これらのプログラムを記録媒体１８００から読み取って実行するが、他の例として、他の装置から通信網５００を介してこれらのプログラムを取得してもよい。
【０１３３】
〔７．効果〕
上述してきたように、実施形態に係る提供装置１００は、ウェブページＷ１０（第１コンテンツの一例）に含まれる広告枠に表示される広告コンテンツ（第２コンテンツの一例）の配信に関する情報を取得する取得部１３５と、ウェブページＷ１０の管理者（第１配信元の一例）に対して、取得部１３５によって取得された広告コンテンツの配信に関する情報を広告枠毎に提供する提供部１３６とを有する。
【０１３４】
これにより、実施形態に係る提供装置１００は、ウェブページＷ１０に含まれる広告枠について、広告枠毎の情報を管理者に把握させることができる。このため、管理者は、特定の広告枠について広告収益が減少していることなどを早期に発見することができる。このように、実施形態に係る提供装置１００によれば、管理者は、効率よく広告枠に関する情報を管理することができる。
【０１３５】
また、取得部１３５は、広告コンテンツの配信元である広告サービス（第２配信元の一例）に関する情報を取得する。提供部１３６は、広告コンテンツの配信に関する情報として、広告枠と広告サービスに関する情報とが対応付けられた情報を提供する。
【０１３６】
これにより、実施形態に係る提供装置１００は、広告枠毎に関係する広告サービスに関する情報を提供することができる。このため、実施形態に係る提供装置１００によれば、管理者は、煩雑化する広告枠毎の広告サービスを容易に管理することができる。
【０１３７】
また、提供部１３６は、広告枠と広告サービスに関する情報とが対応付けられた情報であって、広告サービスの配信設定に関するページへのリンクを含む情報を提供する。
【０１３８】
これにより、実施形態に係る提供装置１００は、広告枠毎の広告サービスの設定変更等を効率良く管理者に行わせることができる。
【０１３９】
また、取得部１３５は、広告コンテンツを表示させる対価として管理者が得る収益に関する情報を取得する。提供部１３６は、広告枠毎に管理者が得る収益に関する情報を提供する。
【０１４０】
これにより、実施形態に係る提供装置１００は、管理者に広告枠毎の収益を把握させることができる。このため、管理者は、広告枠毎の収益の増減などを管理することができるので、例えば、収益が減少している広告枠について原因を調査するなどの対策を採ることができる。
【０１４１】
また、提供部１３６は、広告サービス毎の収益に関する情報を提供する。これにより、実施形態に係る提供装置１００は、管理者に広告サービス毎の収益を把握させることができる。このため、管理者は、広告サービス毎の収益の増減などを管理することができるので、例えば、収益の高い広告サービスを積極的に利用するなどの広告戦略を採ることができる。
【０１４２】
また、提供部１３６は、収益に関する情報に基づいて収益の予測値を算出し、算出された収益の予測値を広告枠毎に提供する。
【０１４３】
これにより、実施形態に係る提供装置１００は、管理者に広告収益の実績と、予測される広告収益との差異を提供することができる。このため、管理者は、収益が予測よりも低い状況などを広告枠毎に把握できるため、広告収益を管理し易くなる。
【０１４４】
また、提供部１３６は、広告枠の位置又はサイズが変更された場合に予測される収益の予測値を提供する。これにより、実施形態に係る提供装置１００は、管理者が現状よりも高い広告収益を得ることのできる可能性を向上させることができる。
【０１４５】
また、提供部１３６は、広告枠毎の広告コンテンツの配信に関する情報を、ウェブページＷ１０における広告枠毎の位置関係に対応した管理画面Ｆ０１を用いて提供する。
【０１４６】
このように、実施形態に係る提供装置１００は、管理画面Ｆ０１によって視覚化され、また、一元化された広告枠に関する情報を管理者に提供する。すなわち、実施形態に係る提供装置１００によれば、管理者は可視化された広告枠毎の情報を取得できるので、容易に広告枠の管理をすることができる。
【０１４７】
また、提供部１３６は、広告枠毎の広告コンテンツの配信に関する情報を、ウェブページＷ１０を表示させる表示画面に対応する矩形ＶＡを含む管理画面Ｆ０１を用いて提供する。
【０１４８】
これにより、実施形態に係る提供装置１００は、ウェブページＷ１０を表示するユーザ端末１０の画面内において、同時に表示される広告枠の内容を把握させることができる。また、実施形態に係る提供装置１００は、ウェブページＷ１０の初期表示画面に含まれる広告枠を認識させる。このため、実施形態に係る提供装置１００によれば、管理者は、容易に広告枠の配置を管理することができる。
【０１４９】
また、実施形態に係る提供装置１００は、広告コンテンツの配信に関する情報を収集する収集部１３１をさらに備える。取得部１３５は、収集部１３１が収集する広告コンテンツの配信に関する情報を取得する。
【０１５０】
これにより、実施形態に係る提供装置１００は、広告配信に関する情報を広告枠毎に収集することができるので、管理者に詳細な情報を提供することができる。
【０１５１】
また、収集部１３１は、制御情報を含むウェブページＷ１０がユーザ端末１０に表示される際に、制御情報に従ってユーザ端末１０から送信されるウェブページＷ１０の情報に基づいて、広告コンテンツの配信に関する情報としてウェブページＷ１０に含まれる広告枠に関する情報を収集する。
【０１５２】
これにより、実施形態に係る提供装置１００は、実際にユーザが閲覧するウェブページＷ１０の表示画面に対応する管理画面Ｆ０１を作成することができるので、広告枠毎の情報の把握に関して視認性を向上させることができる。
【０１５３】
また、収集部１３１は、広告コンテンツの配信に関する情報として、広告コンテンツの配信元である広告サービス提供装置５０から、広告コンテンツの配信先となるウェブページＷ１０を特定する情報と、配信先となるウェブページＷ１０において広告コンテンツが表示される広告枠に関する情報とを収集する。
【０１５４】
これにより、実施形態に係る提供装置１００は、ウェブページＷ１０に含まれる広告枠毎に関係する広告サービスを正確に把握できるので、管理者にとって広告枠の管理に有用な情報を提供することができる。
【０１５５】
また、取得部１３５は、ウェブページＷ１０に広告コンテンツが表示される回数、又は、ウェブページＷ１０の閲覧者から広告コンテンツが選択される回数、又は、ウェブページＷ１０に広告コンテンツが表示された結果として広告主が得た利益、又は、ウェブページＷ１０に表示される広告コンテンツの表示時間若しくは再生時間に応じて管理者が得る対価の額が算出される広告コンテンツの配信に関する情報を取得する。
【０１５６】
これにより、実施形態に係る提供装置１００は、様々な広告商品が提供されるウェブページＷ１０においても、それぞれ対応した広告サービスの情報を的確に取得し、管理者に提供することができる。例えば、実施形態に係る提供装置１００は、広告サービス毎の情報として、ＣＶＲなどの広告効果の指標となる情報や、ビデオ広告等の再生時間により課金額が変動する広告コンテンツに関する収益などの情報を取得し、管理者に提供することができる。
【０１５７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５８】
また、上述してきた「部（section、module、unit）」は、「手段」や「回路」などに読み替えることができる。例えば、収集部は、収集手段や収集回路に読み替えることができる。
【符号の説明】
【０１５９】
１  提供処理システム
１０  ユーザ端末
２０  ウェブサーバ管理者端末
３０  ウェブサーバ
４０  広告配信制御装置
５０  広告サービス提供装置
１００  提供装置
１２１  収集情報記憶部
１２２  提供情報記憶部
１３１  収集部
１３２  広告枠情報収集部
１３３  レポート収集部
１３４  配信先収集部
１３５  取得部
１３６  提供部
１３７  受付部
【図１】
2016004325.tif 000003
【図２】
2016004325.tif 000004
【図３】
2016004325.tif 000005
【図４】
2016004325.tif 000006
【図５】
2016004325.tif 000007
【図６】
2016004325.tif 000008
【図７】
2016004325.tif 000009
【図８】
2016004325.tif 000010
【図９】
2016004325.tif 000011
【図１０】
2016004325.tif 000012